(57)【要約】      （修正有）【課題】内部に固定されたＨＤＤを有し、ユーザによる取り外しが可能なｉＶＤＲを記録媒体とする映像記録再生装置を取り付け可能な表示装置において、部品数を低減し、記録媒体を固定するトレイの取り付けを容易にする。【解決手段】ＨＤＤ１１２とｉＶＤＲ１１５を一つのトレイ３で保持するようにし、一つの構造体として構成する。トレイに取り付けられたダンパ４に溝を設け、ホルダ５の溝と噛み合わせてトレイを固定する。ホルダは互いに溝の幅の異なるものを組み合わせ、組立て易さと外れ難さを共存させる。組立てる際に溝が正しく噛み合うように、トレイにガイドを設ける。ダンパを取り付けるシャフト６の端部に膨らみを持たせてダンパを保持し、段付きネジを不要とする。【選択図】図２
2010198700.tif 000002
【特許請求の範囲】
【請求項１】
映像情報を入力し、該入力した映像情報を映像表示し、前記入力した映像情報を映像記録再生装置に記録し、該映像信号記録再生装置から再生された映像情報を映像表示する映像記録再生装置内蔵の表示装置であって、
前記表示装置に内蔵される第１の映像記録再生装置と、
前記表示装置に対して着脱可能に構成された第２の映像記録再生装置の取り付け部と、
前記第１の映像記録再生装置を保持する部分と、前記表示装置に装着された前記第２の映像記録再生装置を保持する部分とが一体的に構成されたトレイと
を有することを特徴とする映像記録再生装置内蔵の表示装置。
【請求項２】
請求項１に記載の映像記録再生装置内蔵の表示装置において、前記第１の映像記録再生装置および第２の映像記録再生装置の記録媒体はＨＤＤであることを特徴とする映像記録再生装置内蔵の表示装置。
【請求項３】
請求項１に記載の映像記録再生装置内蔵の表示装置において、前記第１の映像記録再生装置の記録媒体はＨＤＤであり、前記第２の映像記録再生装置の記録媒体は光ディスクであることを特徴とする映像記録再生装置内蔵の表示装置。
【請求項４】
請求項１に記載の映像記録再生装置内蔵の表示装置において、前記トレイは溝を有する弾性体のダンパを複数個有しており、前記表示装置の構造体であるベースシャーシは溝を有する複数個のホルダを有しており、前記トレイは前記ダンパの有する溝と前記ホルダの溝とが噛み合うことで前記表示装置に固定され、前記複数個のホルダは前記溝の幅が互いに異なる少なくも二種のホルダを含むことを特徴とする映像記録再生装置内蔵の表示装置。
【請求項５】
請求項４に記載の映像記録再生装置内蔵の表示装置において、前記トレイは前記ホルダの溝が前記ダンパの溝と噛み合うためのガイドを有することを特徴とする映像記録再生装置内蔵の表示装置。
【請求項６】
請求項４に記載の映像記録再生装置内蔵の表示装置において、前記トレイは前記ダンパを取り付けるためのシャフトを有し、該シャフトの先端部には前記ダンパを保持するための突出部を有することを特徴とする映像記録再生装置内蔵の表示装置。
【請求項７】
入力された映像情報を記録し再生するための映像記録再生装置であって、
前記装置に内蔵される第１の記録媒体と、
前記装置に対して着脱可能に構成された第２の記録媒体の取り付け部と、
前記第１の記録媒体を保持する部分と、前記装置に装着された前記第２の記録媒体を保持する部分とが一体的に構成されたトレイと、
前記トレイに設けられ、前記第１及び第２の記録媒体が接続される中継基板とを備え、
前記中継基板の一辺側には、前記第１の記録媒体と接続される第1のコネクタが設けられ、前記一辺側と対向する他辺側には、前記第２の記録媒体と接続される第２のコネクタが設けられることを特徴とする映像記録再生装置。
【請求項８】
請求項７の映像記録再生装置において、前記第１の記録媒体の前記第1のコネクタへの差込方向と、前記前記第２の記録媒体の前記第２のコネクタへの差込方向とが、互いに対向していることを特徴とする映像記録再生装置。
【発明の詳細な説明】
【技術分野】
【０００１】
本発明は映像記録再生装置内蔵の表示装置及び映像記録再生装置に係わり、特に部品数を低減した映像記録再生装置内蔵の表示装置及び映像記録再生装置に関するものである。
【背景技術】
【０００２】
ＨＤＤ（Hard Disk Drive）を有する映像記録再生装置を内蔵した表示装置（テレビジョン）が広く知られている。ＥＰＧ（Electronic Program Guide）と連携して放送番組の録画や視聴、また録画済番組のタイムシフト再生ができ、別々に構成された表示装置と映像記録再生装置をケーブル接続して使用する場合に比べ、ユーザによる初期設定、配線、操作などが簡単になるという特徴がある。
特許文献１においては、このような映像記録再生装置内蔵の表示装置において、映像品質を低下させずに長時間の録画を行う方法が開示されている。
【先行技術文献】
【特許文献】
【０００３】
【特許文献１】特開２００８−１４７９９３号公報
【発明の概要】
【発明が解決しようとする課題】
【０００４】
前記した映像記録再生装置内蔵の表示装置では最近、内部に固定して設けられたＨＤＤのほかにＨＤＤを取り付けるコネクタを有し、ここにユーザが可搬性のＨＤＤを取り付け、放送番組を記録再生できるようにしたものが登場している。ＨＤＤを取り外すことができるために、他の部屋や他の家の表示装置で再生することができるメリットがある。前記した内部に固定して設けられたＨＤＤを含め、いずれかを選択して、またはこれらを両方同時に使用することができる。可搬性のＨＤＤはｉＶＤＲ（Information Versatile Disk for Removable usageの略で、ｉＶＤＲコンソーシアムの技術規格を意味する登録商標）と呼ばれることが多い。
【０００５】
しかし、一台の表示装置に固定式、可搬式という二台のＨＤＤを設けるとなると、これまでの表示装置では、ＨＤＤと表示装置の回路基板との間のたとえばフレキシブル線材、中継基板、ベースシャーシへの取り付け部材などが従来の２倍に増加する問題がある。多くの場合においてこれらは価格の増大化につながるので、部品数を低減することが望まれていた。
本発明の目的はこの問題を解決し、部品数を低減した映像記録再生装置内蔵の表示装置及び映像記録再生装置を提供することにある。
【課題を解決するための手段】
【０００６】
前記目的を達成するため本発明は、映像情報を入力し、該入力した映像情報を映像表示し、前記入力した映像情報を映像記録再生装置に記録し、該映像信号記録再生装置から再生された映像情報を映像表示する映像記録再生装置内蔵の表示装置であって、前記表示装置に内蔵される第１の映像記録再生装置と、前記表示装置に対して着脱可能に構成された第２の映像記録再生装置の取り付け部と、前記第１の映像記録再生装置を保持する部分と、前記表示装置に装着された前記第２の映像記録再生装置を保持する部分とが一体的に構成されたトレイとを有することを特徴としている。
【０００７】
また本発明は、入力された映像情報を記録し再生するための映像記録再生装置であって、前記装置に内蔵される第１の記録媒体と、前記装置に対して着脱可能に構成された第２の記録媒体の取り付け部と、前記第１の記録媒体を保持する部分と、前記装置に装着された前記第２の記録媒体を保持する部分とが一体的に構成されたトレイと、前記トレイに設けられ、前記第１及び第２の記録媒体が接続される中継基板とを備え、前記中継基板の一辺側には、前記第１の記録媒体と接続される第1のコネクタが設けられ、前記一辺側と対向する他辺側には、前記第２の記録媒体と接続される第２のコネクタが設けられることを特徴としている。
【発明の効果】
【０００８】
本発明によれば、部品数を低減した映像記録再生装置内蔵の表示装置及び映像記録再生装置を提供でき、ユーザの使い勝手を損なうことなく材料資源の有効利用に寄与することができるという効果がある。
【図面の簡単な説明】
【０００９】
【図１】本発明の一実施例を示す映像記録再生装置内蔵の表示装置のブロック図である。
【図２】本発明の一実施例を示す映像記録再生装置周辺の概観図である。
【図３】本発明の一実施例におけるホルダの正面図である。
【図４】本発明の一実施例を示す映像記録再生装置の取り付け部の正面図と側面図である。
【発明を実施するための形態】
【００１０】
以下、本発明の実施形態について図面を用いながら説明する。
図１は本発明の一実施例を示す映像記録再生装置内蔵の表示装置のブロック図である。これに基づき全体の動作を説明する。なお図中の破線は表示装置の内部と外部の境界を示し、その線上にある構成要素はコネクタや入力端子など、その間のインタフェースに関わるものを示している。
【００１１】
入力端子１００にはアンテナ（図示せず）からの放送電波が供給され、チューナ部１０１でユーザが望む放送チャネルが選択される。もちろん衛星放送や地上波放送のみならず、ケーブルテレビの放送を受信しても良い。選択されるチャネルは、ユーザがたとえばリモコン（図示せず）を操作することで選択指令をリモコン受信部１０９に送り、これに基づきＣＰＵ１１０がバス１０８を介してチューナ部１０１を制御することで決められる。選択されたチャネルの受信信号は、復調部１０２で伝送のために施された変調方式に応じて復調され、また伝送中に発生した誤りが訂正される。次にデスクランブル部１０３において、必要に応じて放送局で秘匿性を高めるために施された暗号が復号される。
【００１２】
一つの放送チャネルには、たとえば３つの番組（映像コンテンツ、映像情報とも言う）が時分割多重されているが、前記と同様にユーザのたとえばリモコン操作による指令に応じてデマルチプレクサ１０４では、ユーザが望むスロットの映像コンテンツが選択される。選択された映像コンテンツはＭＰＥＧデコーダ１０５において、放送局で施されたＭＰＥＧ（Moving Picture Experts Group）によるデータ圧縮・符号化が解除されて伸張され、表示のための三原色信号となって表示部１０６に与えられる。ユーザは表示部１０６に表示された番組を視聴することができる。
【００１３】
なお、図面の煩雑化を避けるために、音声信号の処理回路やスピーカは省略しているが、当然ながら前記映像コンテンツに伴う音声情報も信号処理されてスピーカへ出力される。またＥＰＧを表示する場合には、放送に伴い逐次受信された番組情報を、たとえばフラッシュメモリ１０７へ蓄積したうえで、全てのチャネルの番組情報を時系列で、所定フォーマットの一覧表形式で表示部１０６へ表示する。
【００１４】
このＥＰＧを用いてユーザが特定の番組を録画予約すると、予約時刻が近づいた際にＣＰＵ１１０はＨＤＤ制御部１１１に、記録動作開始を予告するための指令を送る。該当する番組の開始時刻となるとＨＤＤ制御部１１１は、後記する記録再生部に対して記録動作開始を指示する。この際、デマルチプレクサ１０４はＨＤＤ制御部１１１に対して、ユーザが録画予約した番組のみのコンテンツデータと該当番組のみの番組情報を、受信した放送信号から分離して与える。
【００１５】
前記した記録再生部としては、ユーザが取り外すことのできないように表示装置の内部に固定的に設けられた記録媒体としてのＨＤＤ１１２があって、バス１１３を介してＨＤＤ制御部１１１と接続されている。またバス１１３はコネクタ１１４ｂにも供給されている。コネクタ１１４ｂは前記した取り外しが可能な別の記録媒体としてのＨＤＤであるｉＶＤＲ１１５の接続端子であって、たとえば２６ピンで構成されている。ここにユーザが必要に応じてｉＶＤＲ１１５を取り付けることで、ＨＤＤ１１２とのいずれかまたは両方の装置に前記したコンテンツデータと番組情報を記録することができる。本実施例では、内部に固定的に設けられたＨＤＤ１１２も、コネクタ１１４ｂと同様なコネクタ１１４ａを介してＨＤＤ制御部１１１に接続されるものとする。
【００１６】
なお、ＨＤＤ１１２とｉＶＤＲ１１５のいずれに記録するかの選択は、ユーザがたとえばリモコンを操作することで選択指令をリモコン受信部１０９に送り、これに基づきＣＰＵ１１０がバス１０８を介してＨＤＤ制御部１１１を制御することによって行える。このようにいずれかを、たとえばスイッチで選択するような方法で選ぶ場合が多いが、これに限定するものではない。ほかの方法として、ＨＤＤ制御部１１１にＲＡＩＤ（Redundant Arrays of Independent Disks）制御機能を持たせ、これら二つの装置を仮想的に一つの大容量メモリとして機能するように制御し、たとえば一方の装置の容量が記録動作の途中で満杯となった場合に、残る一方に切替えて記録するような制御を行っても良い。また、チューナ部１０１を２つ以上設け、それぞれのチューナで受信したテレビジョン放送のコンテンツデータと番組情報を、それぞれＨＤＤ１１２とｉＶＤＲ１１５に同時に記録することも可能であろう。
【００１７】
さらにコネクタ１１４ｂは表示装置の境目にあるものとしたが、これは電気回路のブロック図上のことであって、構造上は表示装置の内部にあっても良い。この場合は表示装置の筐体にｉＶＤＲ１１５を挿入するための穴が設けられ、ユーザはこの穴からｉＶＤＲ１１５を挿入して内部のコネクタ１１４ｂに取り付けることとなる。
ＨＤＤ制御部１１１はＨＤＤ１１２ないしｉＶＤＲ１１５を制御して、所定のセクタごとにこれらのデータを記録する。番組のコンテンツデータと番組情報は別な領域に記録されるが、番組情報はそのコンテンツデータの記録場所を示す情報を加えて記録される。
【００１８】
ＨＤＤ１１２ないしｉＶＤＲ１１５に記録した番組を再生する場合には、ユーザはたとえばリモコンを使って録画番組リストを表示部１０６に表示させる。録画番組リストは記録した前記番組情報に基づいて作成され、録画済番組ごとに録画した日時、時間長、チャネルなどのほか、番組内容を知らせるサムネール画像が表示される場合もある。ユーザはこれを見て再生する番組を、たとえばリモコンを使って選択する。その際に選択された番組が再生されて表示部１０６に表示されるため、いわゆるタイムシフトによる視聴が可能になる。
【００１９】
後に図面を用いて、ＨＤＤ１１２、ｉＶＤＲ１１５を中心とした構造を説明するが、図１の実施例において、これらは一つのトレイに搭載されている。従来、たとえばＨＤＤ１１２はｉＶＤＲ１１５から離れた位置に配置されていた。このためバス１１３を形成するフレキシブル線材などは個別に１本ずつ備える必要があったが、本実施例では１本で共用できるようになり、部品数を低減することができる。コネクタ１１４ｂは前記したように、たとえば２６ピンを有し前記フレキシブル線材は高価になるので、価格の低減をすることもできる。
【００２０】
次に図２を用いて本実施例の構造上の特徴について説明する。図２は本発明の一実施例を示す映像記録再生装置周辺の概観図である。図１と同じ構成要素で良いものには同じ番号を付している。
主信号基板８は、搭載される部品のうちコネクタ８１以外は図示していないが、たとえば図１のチューナ１０１〜ＨＤＤ制御部１１１が搭載されている。トレイ３の長手方向（図面の左右方向）のほぼ中央部にはＨＤＤ１１２及びｉＶＤＲ１１５が接続される中継基板２が取り付けられており、この中継基板２は主信号基板８とコネクタ８１、コネクタ１１４ｃとバス１１３を介して接続されている。バス１１３は前記したようにフレキシブル線材で構成されている。中継基板２の一辺側には図１で示したコネクタ１１４ａが設けられ、更に、当該一辺側と対向する他辺側にはコネクタ１１４ｂが設けられており、前者にはＨＤＤ１１２が後者にはｉＶＤＲ１１５が取り付けられている。すなわち、本実施例では、コネクタ１１４ａとコネクタ１１４ｂを、トレイ３の長手方向に並んで配置している。また、ＨＤＤ１１２のコネクタ１１４ａへの差込方向（図面上では左から右へ向かう方向）とｉＶＤＲ１１５のコネクタ１１４ｂへの差込方向（図面上では右から左へ向かう方向）とは、互いに対向している。これにより、中継基板２上の配線パターンを簡略化することができ、更に中継基板２の面積の小型化が図れる。またコネクタ１１４ａは表示装置の内部に固定的に設けられたものであって、コネクタ１１４ａに対しＨＤＤ１１２を一般のユーザは取り外すことはできないが、コネクタ１１４ｂに対しｉＶＤＲ１１５をユーザによって着脱が可能である。ｉＶＤＲ１１５は、図２の右方向より着脱することができる。
【００２１】
トレイ３は、ＨＤＤ１１２、ｉＶＤＲ１１５、中継基板２を搭載し保持するものであり、本実施例においては、例えばＰＣ（ポリカーボネート）、ＡＢＳ（アクリルニトル、ブタジエン、スチレンの共重合合成樹脂）またはＰＣとＡＢＳの合成樹脂、或いはＰＳ（ポリスチレン）等の樹脂材料をモールド成形することにより構成される。このようにトレイ３を構成することで、本実施例に係るトレイ３は、ＨＤＤ１１２を保持する部分と、ｉＶＤＲ１１５をコネクタ１１４ｂに装着した場合にｉＶＤＲ１１５を保持する部分とが一体化される。従来はこのトレイがＨＤＤ１１２を保持するものと、ｉＶＤＲ１１５を保持するものとで別個に設けられていた。図面上で横方向の長さが約半分のトレイが、主信号基板３に対して異なる位置に配置されていた。このため、バス１１３を構成するフレキシブル線材、中継基板２、コネクタ８１、１１４ｃを２個ずつ要していた。本実施例の構成では双方の記録媒体ドライブを一つのトレイ３で保持することにより、各々共用して１個にでき部品数を低減することができる。
【００２２】
本実施例においては、双方の記録媒体ドライブを一つのトレイ３で保持することで、これを一つの構造体として簡単に組立てることができることにも特徴がある。次にこの特徴について説明する。
図２において、ベースシャーシ９は、例えばアルミや鉄などの金属で構成されており、表示装置の背面を支持し、補強する構造を備えている。ここにはホルダ５ａ〜５ｆが、ベースシャーシ９とは略直角に取り付けられている。後に詳しく説明するがホルダ５ａ〜５ｆは図３に示すような、たとえばＵ字型ないしＣ字型の溝を有している。さきのトレイ３はシャフト６ａ〜６ｆ（うち６ａ、６ｃ、６ｅは見えない位置にある）を有している。これに取り付けられた弾性体によるダンパ４ａ〜４ｆは、その厚み方向のほぼ中央に溝を有している。ダンパ４ａ〜４ｆのこの溝を前記ホルダ５ａ〜５ｆの溝へ挿入することで、ＨＤＤ１１２とｉＶＤＲ１１５を取り付けるトレイ３はベースシャーシ９に固定される。なお、ホルダ５ａ〜５ｆはベースシャーシ９を加工して、これと一体に構成しても良い。また、シャフト６ａ〜６ｆはトレイ３と一体に構成しても良い。
【００２３】
図２においてはダンパ４ａ〜４ｆ、ホルダ５ａ〜５ｆ、シャフト６ａ〜６ｆを６個有する場合を示したが、３個〜５個であっても良い。たとえば３個ならばａ、ｄ、ｅの部材のみとする。従来のようにＨＤＤ１１２を保持するものと、ｉＶＤＲ１１５を保持するものとで別個のトレイを有した場合には、３個〜４個の部材を二組要することになるので、本実施例によれば取り付け部材の数も低減することができる。
【００２４】
次に本実施例における取り付け方法について説明する。トレイ３は前記したように従来のトレイよりも図２の横方向に長くなるため、次に述べる方法で取り付けをし易くしている。
まずホルダ５ａ〜５ｆについて図３を用いて説明する。図３は本発明の一実施例におけるホルダの正面図である。ここでは図３（ａ）に示すようなＵ字型の溝を有するホルダ５１と、図３（ｂ）に示すようなＣ字型の溝を有するホルダ５２の双方を用いたことを特徴としている。図３（ａ）でＡとして示す前者の溝の幅（入口部分）は、ダンパ４ａ〜４ｆの溝を若干圧縮する程度の軽い噛み合わせとなるように選ばれている。一方、図３（ｂ）でＢとして示す後者の溝の幅（入口部分）は、ダンパ４ａ〜４ｆの溝を前者よりは強く圧縮する噛み合わせとなるように選ばれている。全てのホルダを前者にすると、取り付けが容易であっても軽い衝撃で外れる恐れがある。全てのホルダを後者にすると、しっかり固定されるものの噛み合わせが硬すぎて取り付け難い問題がある。
【００２５】
そこで、図２のように片側３個、計６個で固定する場合においては、たとえばホルダ５ａ、５ｂ、５ｅ、５ｆを図３（ｂ）のＣ字型のもので、ホルダ５ｃ、５ｄを図３（ａ）のＵ字型のもので構成する。トレイ３をベースシャーシ９に取り付ける際には、まず中央部のホルダ５ｃ、５ｄに対して位置決めしてから嵌め込めば、容易に取り付けることができ、衝撃で外れる恐れも少なくできる。また、ｃとｄで示す部材が存在せず、残る４箇所で固定する場合においては、ホルダ５ａと５ｆを図３（ｂ）のＣ字型のもので、ホルダ５ｂと５ｅを図３（ａ）のＵ字型のもので構成する。もちろん、組み合わせをこれとは逆にしても良い。ほぼ対角線上にあるホルダ５ｂ、５ｅに対して位置決めしてから嵌め込めば、容易に取り付けることができ、衝撃で外れる恐れも少なくできる。
【００２６】
なお以上の説明では前記ホルダの溝の形状について、Ｕ字型ないしＣ字型と表現したが、これは一例であってこれに限定されるものではない。図３でＡないしＢと示した溝の幅（入口部分）が前記したように異なっていれば良い。溝の幅が広い方がＣ字型であっても良く、幅が狭い方がＵ字型であっても良い。またＵ字型やＣ字型に限定されるものでもなく、要は異なる溝の幅のホルダを用いれば良い。
【００２７】
次に前記ホルダの溝と前記ダンパの溝が正しく噛み合うための構造につき、図４を用いて説明する。図４は本発明の一実施例を示す映像記録再生装置の取り付け部の正面図と側面図である。図３の真上から見た正面図と各方向からの側面図を、展開図の形で並べて示している。図４は図３と異なり、ＨＤＤ１１２とｉＶＤＲ１１５を外した状態を示している。また前記６箇所の固定部分のうちｃとｄの位置にあるダンパ４ｃと４ｄを外し、シャフト６ｃと６ｄの形状が分かるようにしている。もちろん、シャフト６ａ、６ｂ、６ｅ、６ｆの形状も同様であって良い。  ダンパ４ａ〜４ｆは前記したように、その厚み方向のほぼ中央に溝を有しており、これがさきのホルダ５ａ〜５ｆのＵ字型ないしＣ字型の溝と噛み合うことで、ベースシャーシ９に固定される。しかし、取り付けに際して若干の位置の違いによって、ホルダ５ａ〜５ｆの溝がダンパ４ａ〜４ｆの溝に入らず、たとえばダンパ４ａ〜４ｆのトレイ側に入ってしまうことが考えられる。本実施例においてはこれに対応して、図４で示すようにトレイの一部にガイド７ａ、７ｂ、７ｅ、７ｆを設けている。取り付けに際して、これらのガイドはホルダ５ａ〜５ｆが所定量以上にトレイ３の側面に近づかないように作用し、ホルダ５ａ〜５ｆの溝がダンパ４ａ〜４ｆの溝と噛み合うようにしている。なお、中央部にあるホルダ５ｃと５ｄについては位置決めをするうえで、両端部にあるホルダ５ａ、５ｂ、５ｅ、５ｆに対するガイド７ａ、７ｂ、７ｅ、７ｆほどは重要でないため図示していないが、もちろんこれを設けても良い。
【００２８】
図４でシャフト６ｃと６ｄについては、その形状が分かるように描かれている。外側の端部にダンパがシャフトから外れないように保持するための膨らみ（突出部と称する場合がある）を有することが特徴となっている。これにより弾性体を材料とするダンパは、容易にはシャフトから外れないように固定される。また従来はこのために、膨らみを設けずに段付きネジをシャフトの端部からトレイ３の方向へ押し込むようにしていたが、本実施例では簡単な方法で固定できるようにしている。
【００２９】
なお、以上の実施形態はあくまで一例であり、本発明はこれに限定されるものではない。図１のコネクタ１１４ｂに接続されるものは、前記したようなｉＶＤＲ１１５に限るものではなく、たとえば直径が８センチのＢＤ（Blu-ray Disk）やＤＶＤ等の光ディスクであっても良い。このように様々な変形を加えたさらに多くの実施形態が考えられるが、いずれも本発明の範疇にある。
【００３０】
更にまた、上記の例では、固定式のＨＤＤと、可搬式のＨＤＤ（ｉＶＤＲ）が挿入される機構とを表示装置に設けた例を示したが、本発明はこれに限定されるものではない。映像を表示するための表示部が無い、例えばＨＤＤレコーダー等の映像記録再生装置に本発明を適用することも可能である。
【符号の説明】
【００３１】
１０４：デマルチプレクサ、１０５：ＭＰＥＧデコーダ、１０６：表示部、１１０：ＣＰＵ、１１１：ＨＤＤ制御部、１１２：ＨＤＤ、１１３：バス、１１４ａ〜１１４ｃ，８１：コネクタ、１１５：ｉＶＤＲ、３：トレイ、４ａ〜４ｆ：ダンパ、５ａ〜５ｆ、５１、５２：ホルダ、６ａ〜６ｆ：シャフト、７ａ、７ｂ、７ｅ、７ｆ：ガイド、８：主信号基板、９：ベースシャーシ。
【図１】
2010198700.tif 000003
【図２】
2010198700.tif 000004
【図３】
2010198700.tif 000005
【図４】
2010198700.tif 000006